(57)【特許請求の範囲】
【請求項１】
シート状のフレキシブル基板と、
前記フレキシブル基板上に配置され、生体の生体信号を取得する生体信号取得部と、
を備え、
前記生体信号取得部は、
前記フレキシブル基板の一面を直線で２分割した一方の領域に配置され、前記フレキシブル基板に配置された生体信号を電気的に取得可能な電気信号取得部であって、前記フレキシブル基板の面に沿って所定の方向に並べられた複数の電極を備える電気信号取得部と、
他方の領域に配置され、前記フレキシブル基板に配置され、生体に対して光を照射することにより、照射した光に基づいて得られた生体信号を取得する複数の光信号取得部であって、複数の電極の配列方向と略同方向に並べられた複数の光学素子を備え、前記フレキシブル基板よりヤング率の高い材料により形成され、前記光学素子に接触しつつ、前記光学素子を囲う保護層を備える光信号取得部と、
を備え、
前記保護層は、
前記光学素子に接触する硬質層と、
前記硬質層よりもヤング率の低い材料で形成され、前記硬質層に隣接する軟質層と、
を備える電極シート。
【請求項２】
前記複数の電極は、前記フレキシブル基板の一面を２分割して２つの領域を形成する直線と略平行に並べられる請求項１に記載の電極シート。
【請求項３】
前記電気信号取得部及び前記光信号取得部を生体の計測位置に接触させるために、生体の所定の位置に位置合わせ可能な標示部を更に備える請求項１又は２に記載の電極シート。
【請求項４】
前記フレキシブル基板は、基準層によって形成され、
前記基準層は、
前記電気信号取得部が配置される第１基準層と、
前記光信号取得部が配置される第２基準層と、
を備え、
前記第１基準層及び前記第２基準層は、一部が重ねて配置される請求項１〜３のいずれかの請求項に記載の電極シート。
【請求項５】
基準層によって形成されるシート状のフレキシブル基板と、
前記フレキシブル基板上に配置され、生体の生体信号を取得する生体信号取得部と、
を備え、
前記生体信号取得部は、
前記フレキシブル基板に配置された生体信号を電気的に取得可能な電気信号取得部と、
前記フレキシブル基板に配置され、生体に対して光を照射することにより、照射した光に基づいて得られた生体信号を取得する複数の光信号取得部と、
を備え、
前記基準層は、
前記電気信号取得部が配置される第１基準層と、
前記光信号取得部が配置される第２基準層と、
を備え、
前記第１基準層及び前記第２基準層は、一部が重ねて配置される電極シート。
【請求項６】
前記第１基準層の一方の面上には、前記複数の電極と、前記光信号取得部に接続される光学素子用配線の一部と、が配置され、
前記第２基準層には、厚さ方向に形成された挿通孔と、一方の面上に形成された前記光学素子用配線の他部と、が配置され、
前記第１基準層及び前記第２基準層は、前記挿通孔に前記複数の電極が挿入された状態で重ね合わされる請求項４又は５に記載の電極シート。
【請求項７】
前記光信号取得部は、前記第２基準層の一方の面に重ね合わされる請求項６に記載の電極シート。
【請求項８】
前記光学素子用配線は、前記第１基準層と前記第２基準層との間で厚さ方向に挟持される請求項６又は７に記載された電極シート。
【請求項９】
請求項１〜８のいずれかの請求項に記載の電極シートと、
前記フレキシブル基板に接続され、前記生体信号取得部で取得した生体信号を無線により送出可能な無線機器と、を備える電極シートモジュール。
【発明の詳細な説明】
【技術分野】
【０００１】
本発明は、電極シートに関する。
【背景技術】
【０００２】
従来より、電極及び計測器が一体となった簡易型脳波計が知られている。この簡易型脳波計では、硬い電極を用いて長時間計測を行うことによる患者への負担を無視することができず、電極構成が固定されており、患者や医師の要望に合わせた生体信号の取得が困難であった。また、この簡易型脳波計では、頭部に固定するためのヘッドセット等の固定具が必要であった。【０００３】
そこで、より容易に脳波を計測可能な装置として、額に貼付可能なフレキシブル樹脂シートに電極及び光学素子を構成する生体センサが提案されている（例えば、特許文献１参照）。提案された生体センサによれば、電極で脳波を取得するとともに、光学素子で他の信号を取得することができる。
【先行技術文献】
【特許文献】
【０００４】
【特許文献１】米国特許公開第２０１６／００１５２８１号公報
【発明の概要】
【発明が解決しようとする課題】
【０００５】
ところで、電極や光学素子で信号を得られる位置には個人差がある。そこで、電極及び光学素子は、生体信号を取得できるように、工夫されて設けられるのが理想である。提案された生体センサでは、額の中心位置に合わせて電極が接触されるが、他の電極及び光学素子が個人差に合わせて設けられていない。そのため、信号を取得するために、電極及び光学素子が生体に対して位置合わせを繰り返す必要がある。【０００６】
本発明は、位置合わせが容易な電極シートを提供することを目的とする。
【課題を解決するための手段】
【０００７】
（１）本発明は、シート状のフレキシブル基板と、前記フレキシブル基板上に配置され、生体の生体信号を取得する生体信号取得部と、を備え、前記生体信号取得部は、前記フレキシブル基板に配置された生体信号を電気的に取得可能な電気信号取得部と、前記フレキシブル基板に配置され、生体に対して光を照射することにより、照射した光に基づいて得られた生体信号を取得する複数の光信号取得部と、を備える電極シートに関する。【０００８】
（２）前記電気信号取得部は、前記フレキシブル基板の一面を直線で２分割した一方の領域に配置され、前記光信号取得部は、他方の領域に配置されるのが好ましい。【０００９】
（３）前記電気信号取得部は、前記フレキシブル基板の面に沿って所定の方向に並べられた複数の電極を備え、前記光信号取得部は、複数の電極の配列方向と略同方向に並べられた複数の光学素子を備えるのが好ましい。【００１０】
（４）複数の電極は、フレキシブル基板の一面を２分割して２つの領域を形成する直線と略平行に並べられるのが好ましい。【００１１】
（５）前記光信号取得部は、前記フレキシブル基板よりヤング率の高い材料により形成され、前記光学素子に接触しつつ、前記光学素子を囲う保護層を更に備えるのが好ましい。【００１２】
（６）前記保護層は、前記光学素子に接触する硬質層と、前記硬質層よりもヤング率の低い材料で形成され、前記硬質層に隣接する軟質層と、を備えるのが好ましい。【００１３】
（７）電極シートは、前記電気信号取得部及び前記光信号取得部を生体の計測位置に接触させるために、生体の所定の位置に位置合わせ可能な標示部を更に備えるのが好ましい。【００１４】
（８）前記フレキシブル基板は、基準層によって形成され、前記基準層は、前記電気信号取得部が配置される第１基準層と、前記光信号取得部が配置される第２基準層と、を備え、前記第１基準層及び前記第２基準層は、一部が重ねて配置されるのが好ましい。【００１５】
（９）前記第１基準層の一方の面上には、前記複数の電極と、前記光信号取得部に接続される光学素子用配線の一部と、が配置され、前記第２基準層には、厚さ方向に形成された挿通孔と、一方の面上に形成された前記光学素子用配線の他部と、が配置され、前記第１基準層及び前記第２基準層は、前記挿通孔に前記複数の電極が挿入された状態で重ね合わされるのが好ましい。【００１６】
（１０）前記光信号取得部は、前記第２基準層の一方の面に重ね合わされるのが好ましい。【００１７】
（１１）前記光学素子用配線は、前記第１基準層と前記第２基準層との間で厚さ方向に挟持されるのが好ましい。【００１８】
（１２）また、本発明は、（１）〜（１１）のいずれかの電極シートと、前記フレキシブル基板に接続され、前記生体信号取得部で取得した生体信号を無線により送出可能な無線機器と、を備える電極シートモジュールに関する。
【発明の効果】
【００１９】
本発明によれば、位置合わせが容易な電極シートを提供することができる。
【図面の簡単な説明】
【００２０】
【図１】本発明の第１実施形態に係る電極シートを示す平面図である。
【図２】図１のＡ−Ａ線断面図である。
【図３】第１実施形態の発光部を示す概略斜視図である。
【図４】第１実施形態の電極シートを生体に使用する際の概略斜視図である。
【図５】第２実施形態の電極シートの発光部を示す概略斜視図である。
【図６】第３実施形態の電極シートを示す平．面図である。
【図７】第４実施形態の電極シートの光信号取得部を形成する一過程を示す概略断面図である。
【図８】第４実施形態の電極シートの光信号取得部を形成する一過程を示す概略断面図である。
【図９】第４実施形態の電極シートの光信号取得部を形成する一過程を示す概略断面図である。
【図１０】第４実施形態の電極シートを形成する一過程を示す概略断面図である。
【図１１】第４実施形態の電極シートを形成する一過程を示す概略断面図である。
【図１２】第４実施形態の電極シートを形成する一過程を示す概略断面図である。
【図１３】第４実施形態の電極シートを形成する一過程を示す概略断面図である。
【図１４】第４実施形態の電極シートを形成する一過程を示す概略断面図である。
【図１５】第５実施形態の電極シートを形成する一過程を示す概略断面図である。
【図１６】第５実施形態の電極シートを形成する一過程を示す概略断面図である。
【図１７】第５実施形態の電極シートを形成する一過程を示す概略断面図である。
【図１８】本発明の変形例における発光部及び受光部の配置を示す概略平面図である。
【図１９】本発明の変形例における生体信号を解析する流れを示すフローチャートである。
【発明を実施するための形態】
【００２１】
以下、本発明に係る電極シートの各実施形態について、図１〜図１７を参照して説明する。なお、以下に記載する各実施形態は例示であり、それぞれの実施形態の説明を他の実施形態に追加したり、それぞれの実施形態の説明を入れ替えた実施形態もまた、本発明の実施形態である。
各実施形態に係る電極シート１は、例えば、人体の額に取り付けられて、生体信号を取得するものである。生体信号としては、脳波や心拍等の自発的に発信される信号の他、照射した光の透過や反射により得られる信号が挙げられる。これらの生体信号を人体の額において効果的に取得するために、電極シート１は、全体として伸縮性及び柔軟性をもつことが好ましい。電極シート１は、額の曲面形状に追従して湾曲することが可能である。したがって、電極シート１は、例えば額に対して密着することができ、生体信号を継続的に取得することができる。
【００２２】
特に、各実施形態に係る電極シート１は、２種類の生体信号を同時に取得可能なものである。例えば、各実施形態に係る電極シート１は、生体信号のうち、脳波及び血中酸素飽和度を２種類の生体信号として同時に取得する。これにより、各実施形態に係る電極シート１は、血中酸素飽和度に基づく脳波の解析に与する生体信号を取得することが可能なものである。
【００２３】
［第１実施形態］
次に、本発明の第１実施形態に係る電極シート１について、図１〜図４を参照して説明する。
本実施形態に係る電極シート１は、図１〜図４に示すように、フレキシブル基板１０と、生体信号取得部１１と、標示部１２と、グランド電極１３と、を備える。電極シート１は、全体として略矩形形状に形成される。電極シート１は、生体（人体）の額に合わせて貼付可能な大きさで形成されている。具体的には、電極シート１は、額のうち両目に近い位置において血中酸素飽和度のための信号を取得する。また、電極シート１は、その上方に位置する額において脳波を取得する。
【００２４】
フレキシブル基板１０は、平面視矩形形状である。フレキシブル基板１０の一辺は、面外方向に突出する形状をもつ。具体的には、フレキシブル基板１０は、図１において直線Ｘの一方側で矩形形状に形成される生体信号取得領域１０１と、直線Ｘの他方側で面外方向に突出する領域によって矩形形状に形成される配線配置領域１０２と、をもつ。フレキシブル基板１０は、配線配置領域１０２において、外部の解析装置２や、無線により解析装置２に生体信号を送出する無線機器（図示せず）に接続可能になっている。配線配置領域１０２には、複数の配線２５，２５，・・・が配置される。このようなフレキシブル基板１０は、基準層１０３と、接触層１０４と、を備える。なお、フレキシブル基板１０に接続した無線機器（図示せず）及び電極シート１によって、電極シートモジュールが構成される。
【００２５】
基準層１０３は、生体信号取得領域１０１と、配線配置領域１０２とを合わせたフレキシブル基板１０の領域全体に配置される。基準層１０３は、シート状に形成される。基準層１０３は、柔軟性及び伸縮性をもつ材料を用いて形成される。基準層１０３は、電極シート１を額に取り付けた際に、露出する面を形成する。
【００２６】
接触層１０４は、電極シート１を額に取り付けた際に、額に接触する面を形成する。接触層１０４は、基準層１０３と同様に、シート状に形成される。接触層１０４は、基準層１０３と同様に、柔軟性及び伸縮性をもつ材料を用いて形成される。また、接触層１０４は、基準層１０３に重ね合わせて形成される。特に、接触層１０４は、基準層１０３の形状と同じ形状及び大きさによって、基準層１０３の一方の面全体を覆うように形成される。そして、接触層１０４は、生体信号取得領域１０１のうち、直線Ｙで区切られた他方の領域に貫通孔１０５をもつ。具体的には、接触層１０４は、生体信号取得領域１０１のうち、直線Ｙで区切られた両目に近い位置に接触する領域に貫通孔１０５をもつ。本実施形態において、接触層１０４は、直線Ｙに沿って所定の間隔を開けて形成される４つの貫通孔１０５をもつ。なお、直線Ｙは、仮想的な直線である。
【００２７】
生体信号取得部１１は、フレキシブル基板１０上に配置され、生体の生体信号を取得する。具体的には、生体信号取得部１１は、２種類の生体信号を取得する。このような生体信号取得部１１は、電気信号取得部１４と、光信号取得部１５と、を備える。
【００２８】
電気信号取得部１４は、フレキシブル基板１０の一面を直線Ｙで２分割した一方の領域（額の上方に接触する領域）に配置される。電気信号取得部１４は、生体信号を電気的に取得可能となっている。このような電気信号取得部１４は、複数の電極１６，１６，・・・と、複数の電極用配線１７，１７，・・・と、を備える。電気信号取得部１４は、全体として、フレキシブル基板１０の一面に印刷法を用いて形成される。本実施形態において、電気信号取得部１４は、フレキシブル基板１０の長辺に沿う直線Ｙで２分割された一方の領域に配置される。
【００２９】
複数の電極１６，１６，・・・は、フレキシブル基板１０の面に沿って所定の方向に並べられる。本実施形態において、複数の電極１６，１６，・・・は、平面視矩形形状に形成された一辺（長辺）に沿って７つ並べられる。
【００３０】
また、複数の電極１６，１６，・・・は、フレキシブル基板１０の一面を２分割して２つの領域を形成する直線Ｙと略平行に並べられる。そして、それぞれの電極１６は、隣接する電極１６に対して、並べられる方向に交差する方向に交互に位置をずらして配置される。これにより、直線状に複数の電極１６，１６，・・・を並べる場合に比べ、複数の電極１６，１６，・・・を電気信号取得部１４の領域内の種々の位置に配置することができる。したがって、より精度の良い生体信号のデータの取得が可能となる。複数の電極１６，１６，・・・は、個人差のある生体信号の発信位置に関わらず、いずれかにおいて生体信号を取得することができる。
【００３１】
複数の電極用配線１７，１７，・・・は、複数の電極１６の数に合わせて設けられる。複数の電極用配線１７，１７，・・・は、フレキシブル基板１０の突出する辺からフレキシブル基板１０上を伸びて、複数の電極１６のそれぞれに接続されて設けられる。また、複数の電極用配線１７，１７，・・・は、配線配置領域１０２の配線２５，２５，・・・として、解析装置２へ接続可能になっている。
【００３２】
以上のような電気信号取得部１４によれば、複数の電極１６，１６，・・・が生体信号の測定位置に貼り付けられることで、脳波等の自発的に発信される生体信号を電気信号として取得することができる。複数の電極１６は、取得した電気信号を、複数の電極用配線１７，１７，・・・を介して解析装置２等に送信することができる。
【００３３】
光信号取得部１５は、電気信号取得部１４と同じように、フレキシブル基板１０の一面に配置される。そして、光信号取得部１５は、フレキシブル基板１０の一面を直線Ｙで２分割した他方の領域（額のうち両目に近い位置）に配置される。光信号取得部１５は、生体に対して光を照射することにより、照射した光に基づいて得られた信号を取得する。このような光信号取得部１５は、複数の光学素子１８，１８，・・・と、保護層１９と、を備える。本実施形態において、光信号取得部１５は、それぞれの貫通孔１０５の内側面に囲われる領域に、１つの光学素子１８と、１つの保護層１９とを対として設けられている。また、本実施形態において、光信号取得部１５は、フレキシブル基板１０の長辺に沿う直線Ｙで２分割された他方の領域に配置される。
【００３４】
複数の光学素子１８，１８，・・・は、複数の電極１６の配列方向と略同方向に並べられる。つまり、複数の光学素子１８，１８，・・・は、フレキシブル基板１０の一面を２分割して２つの領域を形成する直線と略平行に並べられる。複数の光学素子１８，１８，・・・のそれぞれは、図１に示すように、発光部２０と、受光部２１と、を備える。複数の光学素子１８，１８，・・・のそれぞれは、フレキシブル基板１０上に形成された配線（図示せず）に接続される。
【００３５】
発光部２０は、例えばＯＬＥＤ（有機ＥＬダイオード）、ｉＯＬＥＤ（逆有機ＥＬダイオード）や一般的なＬＥＤであり、生体に対して所定波長の光を照射するために設けられる。本実施形態において、発光部２０は、ＯＬＥＤである。発光部２０は、複数の層を重ねて構成される。具体的には、発光部２０は、図３に示すように、陽極２０１と、正孔注入層２０２と、正孔輸送層２０３と、発光層２０４と、電子注入層２０５と、陰極２０６と、を備える。そして、発光部２０は、陽極２０１、正孔注入層２０２、正孔輸送層２０３、発光層２０４、電子注入層２０５、及び陰極２０６の順に積層される。発光部２０は、陰極２０６から陽極２０１に向かう方向に沿って外部に光を照射する。
【００３６】
発光部２０は、一例として、以下のように作製される。
［１］市販されている平均厚さ０．１ｍｍのＩＴＯ電極層付きＰＥＴ（ポリエチレンテレフタラート）基板を用意した。この時、基板のＩＴＯ電極（陽極２０１）は幅１ｍｍにパターニングされているものを用いた。この基板をイソプロパノール中でそれぞれ１０分間超音波洗浄した。この基板をイソプロパノール中から取り出し、窒素ブローにより乾燥させ、ＵＶオゾン洗浄を２０分間行った。
［２］この基板をスピンコーターにセットし、市販のポリ（３，４−エチレンジオキシチオフェン／スチレンスルホン酸）（ＰＥＤＯＴ／ＰＳＳ）の水分散液を滴下し、毎分１，８００回転で６０秒間回転させ、更に１２５℃のホットプレートで１０分間乾燥させて、陽極上にＰＥＤＯＴ／ＰＳＳからなる正孔注入層２０２を形成した。正孔注入層２０２の平均厚さは６０ｎｍであった。正孔注入層２０２の平均厚さは、触針式段差計により測定した。
［３］正孔注入層２０２まで形成した基板を真空蒸着装置の基板ホルダーに固定した。４，４’−ビス［９−ジカルバゾリル］−２，２’−ビフェニル（ＣＢＰ）、イリジウムトリス（１−フェニルイソキノリン）（Ｉｒ（ｐｉｑ）３）、Ｎ，Ｎ’−ジ（１−ナフチル）−Ｎ，Ｎ’−ジフェニル−１，１’−ビフェニル−４，４’−ジアミン（α−ＮＰＤ）をそれぞれアルミナルツボに入れて蒸着源にセットした。真空蒸着装置内を約１×１０−５Ｐａまで減圧し、α−ＮＰＤを６０ｎｍ蒸着し、正孔輸送層２０３を成膜した。次に、ＣＢＰをホスト、Ｉｒ（ｐｉｑ）３をドーパントとして３５ｎｍ共蒸着し、発光層２０４を成膜した。この時、ドープ濃度はＩｒ（ｐｉｑ）３が発光層２０４全体に対して６重量％となるようにした。
［４］市販の日本触媒社製ポリエチレンイミンＳＰ−２００とトリフェニルホスフィンオキシドの混合エタノール溶液を作製した。この時、トリフェニルホスフィンオキシドの濃度は０．５％、ポリエチレンイミンオキシドの濃度は１％とした。上記工程［４］で作製した基板をスピンコーターにセットした。上記工程［３］で形成した発光層２０４の上にポリエチレンイミン−トリフェニルホスフィンオキシド混合エタノール溶液を滴下し、毎分２，０００回転で３０秒間回転させ、発光層２０４の上に電子注入層２０５を形成した。電子注入層２０５の平均厚さは１０ｎｍであった。電子注入層２０５の平均厚さは、触針式段差計により測定した。
［５］上記工程［４］で作製した基板を真空蒸着装置の基板ホルダーに固定した。アルミニウムワイヤー（Ａｌ）をアルミナルツボに入れて蒸着源にセットした。真空蒸着装置内を約１×１０−４Ｐａまで減圧し、電子注入層２０５の上にＡｌ（陰極２０６）を平均厚さが１００ｎｍとなるように蒸着し、有機電界発光素子（１）を作製した。陰極２０６の平均厚さは、水晶振動子膜厚計により成膜時に測定した。なお、陰極２０６を蒸着する時、ステンレス製の蒸着マスクを用いて蒸着面が幅１ｍｍの帯状になるようにした。即ち、作製した有機電界発光素子の発光面積は１ｍｍ２とした。
【００３７】
受光部２１は、例えばＰＤ（フォトダイオード）やＯＰＤ（有機フォトダイオード）である。受光部２１は、発光部２０と一対に設けられる。受光部２１は、発光部２０によって照射された光の反射光を受光可能に構成される。本実施形態において、受光部２１は、複数の光学素子１８，１８，・・・の並べられている方向と交差する方向に、受光部２１に隣接するように配置される。受光部２１は、例えば、８．９％  Ｓｉｎｇｌｅ−Ｓｔａｃｋ  Ｉｎｖｅｒｔｅｄ  Ｐｏｌｙｍｅｒ  Ｓｏｌａｒ  Ｃｅｌｌｓ  ｗｉｔｈ  Ｅｌｅｃｔｒｏｎ−Ｒｉｃｈ  Ｐｏｌｙｍｅｒ  Ｎａｎｏｌａｙｅｒ−Ｍｏｄｉｆｉｅｄ  Ｉｎｏｒｇａｎｉｃ  Ｅｌｅｃｔｒｏｎ−Ｃｏｌｌｅｃｔｉｎｇ  Ｂｕｆｆｅｒ  Ｌａｙｅｒｓ（ＡＤＶＡＮＣＥＤ  ＥＮＥＲＧＹ  ＭＡＴＥＲＩＡＬＳ，２０１４年１月７日公開）に記載された構成や作製方法で作製することができる。
【００３８】
保護層１９は、図１及び図２に示すように、基準層１０３上に積層される柔軟性をもつ層である。保護層１９は、接触層１０４よりヤング率の高い材料により形成される。保護層１９は、光学素子１８に接触しつつ、光学素子１８を囲う。保護層１９は、フレキシブル基板１０と同様に伸縮性をもつ。本実施形態において、保護層１９は、光信号取得部１５が形成されたフレキシブル基板１０の領域に合わせた大きさで形成される。このような保護層１９は、硬質層２２と、軟質層２３と、を備える。保護層１９は、発光部２０の発光により照射される光の波長及び受光部２１で受光可能な光の波長を透過する性質の材料で形成される。
【００３９】
硬質層２２は、接触層１０４よりもヤング率の高い材料により形成される。硬質層２２は、貫通孔１０５の径よりも小さい径で形成される。硬質層２２は、光学素子１８に接触する。そして、硬質層２２は、複数の光学素子１８，１８，・・・のそれぞれを封止するように基準層１０３上に積層される。即ち、硬質層２２は、発光部２０及び受光部２１を基準層１０３との間に封止するように形成される。
【００４０】
軟質層２３は、硬質層２２よりもヤング率の低い材料で形成される。軟質層２３は、硬質層２２に隣接する。つまり、軟質層２３は、硬質層２２及び接触層１０４の間の部分を充填するように配置される。また、軟質層２３の露出する表面は、硬質層２２の露出する表面と面一になるように積層される。
【００４１】
以上のような光信号取得部１５によれば、生体に取り付けられた際に、生体の湾曲に沿って保護層１９が湾曲する。このとき、ヤング率の低い軟質層２３がより湾曲しやすく、ヤング率の高い硬質層２２が湾曲しにくい。したがって、軟質層２３がより湾曲したとしても、硬質層２２が軟質層２３よりも湾曲しないので、湾曲によるひずみが光学素子１８に伝わることを抑制することができる。これにより、湾曲により光学素子１８がダメージを受けることを抑制することができる。
【００４２】
そして、以上のような電気信号取得部１４及び光信号取得部１５によれば、複数の電極１６，１６，・・・及び複数の光学素子１８，１８，・・・が、フレキシブル基板１０の同じ面（一面）に設けられるので、複数の電極１６，１６，・・・及び複数の光学素子１８，１８，・・・を同時に生体に接触させることができる。これにより、電気的な生体信号と、光学的な生体信号との双方を同時に取得することができる。
【００４３】
標示部１２は、電気信号取得部１４及び光信号取得部１５を生体の計測位置に接触させるために、生体の所定の位置に位置合わせ可能に設けられる。本実施形態において、標示部１２は、図４に示すように、フレキシブル基板１０の一面とは逆の面（生体に電極シート１を貼付したときに露出する面、以下、露出面という）に設けられる。つまり、標示部１２は、基準層１０３上に設けられる。例えば、標示部１２は、鼻の筋に沿う方向に沿って位置合わせ可能なように、直線状の線としてフレキシブル基板１０の一面とは逆の面に印刷等により設けられる。
【００４４】
グランド電極１３（図４では図示省略）は、配線２４を介して、配線配置領域１０２の配線２５に接続される。グランド電極１３は、生体の耳等に接触して、生体の基準電位を取得するために設けられる。グランド電極１３は、配線２４及び配線２５を介して、解析装置２へ接続可能になっている。
【００４５】
以上のような電極シート１は、以下のように用いられる。
まず、電極シート１が生体の測定位置に近づけられる。このとき、標示部１２の設けられている面（基準層１０３の一方の面）は、露出する面とされる。そして、標示部１２は、生体の所定の位置（例えば、鼻の筋に沿う位置）に、位置合わせされる。標示部１２が位置合わせされた状態で、電極シート１は、生体に貼付される。
【００４６】
電極シート１が生体に貼付されることにより、フレキシブル基板１０及び保護層１９は、生体の湾曲に沿って湾曲する。例えば、電極シート１が生体の額に貼付されることにより、フレキシブル基板１０及び保護層１９は、額の形状に沿って湾曲する。これにより、複数の電極１６，１６，・・・は、生体に接触することにより、生体から生体信号（電気信号）を取得可能になる。また、複数の光学素子１８，１８，・・・は、生体に対して光を照射及び受光することが可能になり、生体から生体信号（光信号）を取得可能になる。
【００４７】
具体的には、発光部２０は、１つの光又は波長の異なる複数の光を血管に照射する。これにより、血液中のヘモグロビンは、光を吸収する。吸収されなかった光は、受光部２１によって集光される。ヘモグロビンの光の吸収量は、酸化状態と還元状態とで異なることが知られている。したがって、受光した反射波の大きさから酸化ヘモグロビンの割合を計算することができる。これは、血中酸素飽和度（ＳｐＯ２）と呼ばれている。
【００４８】
ここで、グランド電極１３は、生体の耳等に取り付けられて、生体の基準電位を取得可能になる。これにより、電極シート１は、基準電位に対する生体信号を取得することができる。
【００４９】
以上説明した第１実施形態の電極シート１によれば、以下のような効果を奏する。
【００５０】
（１）電極シート１は、シート状のフレキシブル基板１０と、フレキシブル基板１０上に配置され、生体の生体信号を取得する生体信号取得部１１と、を備える。そして、生体信号取得部１１は、フレキシブル基板１０に配置された生体信号を電気的に取得可能な電気信号取得部１４と、フレキシブル基板１０に配置され、生体に対して光を照射することにより、照射した光に基づいて得られた生体信号を取得する複数の光信号取得部１５と、を備える。これにより、生体の凹凸に応じて湾曲する電極シート１を提供することができる。そして、電気信号取得部１４により、脳波等を電気的な生体信号として取得しつつ、経皮的動脈血酸素飽和度（ＳｐＯ２）等を光学的な生体信号として取得できる。このように、複数の生体信号を同時に取得可能な電極シート１を簡易な構造で提供することができる。
【００５１】
（２）電気信号取得部１４は、フレキシブル基板１０の一面を直線Ｙで２分割した一方の領域に配置される。光信号取得部１５は、他方の領域に配置される。これにより、電気信号取得部１４及び光信号取得部１５のそれぞれを、生体の測定位置に位置合わせしやすくすることができる。
【００５２】
（３）電気信号取得部１４は、フレキシブル基板１０の面に沿って所定の方向に並べられた複数の電極１６，１６，・・・を備える。また、光信号取得部１５は、複数の電極１６，１６，・・・の配列方向と略同方向に並べられた複数の光学素子１８，１８，・・・を備える。これにより、生体の測定位置に、所定方向に並べられた複数の電極１６，１６，・・・及び光学素子１８，１８，・・・が接触するので、生体信号をより確実に取得することができる。
【００５３】
（４）複数の電極１６，１６，・・・は、フレキシブル基板１０の一面を２分割して２つの領域を形成する直線Ｙと略平行に並べられる。これにより、電気信号取得部１４及び光信号取得部１５のそれぞれの領域の延びる方向が複数の電極１６，１６，・・・及び複数の光学素子１８，１８，・・・の並びに揃うので、生体に対する両者の位置決めを容易にすることができる。
【００５４】
（５）光信号取得部１５は、フレキシブル基板１０より硬い材料により形成され、光学素子１８に接触しつつ光学素子１８を囲う保護層１９を更に備える。これにより、フレキシブル基板１０の湾曲に起因して、光学素子１８に加えられるひずみを保護層１９により軽減することができる。したがって、光学素子１８をひずみから保護することができる。
（６）保護層１９は、光学素子１８に接触する硬質層２２と、硬質層２２よりもヤング率の低い材料で形成され、硬質層２２に隣接する軟質層２３と、を備える。これにより、光学素子１８に加えられるひずみを、硬質層２２及び軟質層２３によって軽減することができるので、光学素子１８をよりひずみから保護することができる。
【００５５】
（７）電極シート１は、電気信号取得部１４及び光信号取得部１５を生体の測定位置に接触させるために、生体の所定の位置に位置合わせ可能な標示部１２を更に備える。これにより、標示部１２を生体の所定の位置に位置合わせすることで、電気信号取得部１４及び光信号取得部１５を生体の測定位置に接触させることができる。したがって、電極シート１の扱いをより容易にすることができる。また、生体信号を取得可能な位置により近い場所に電極１６及び光学素子１８を接触させることができるので、標示部１２を設けない場合に比べ、電極１６及び光学素子１８の数を減らすことができ、電極シート１の製造コストを低下させることができる。
【００５６】
（８）電極シートモジュールは、電極シート１と、フレキシブル基板１０に接続され、生体信号取得部１１で取得した生体信号を無線により送出可能な無線機器と、を備える。これにより、有線機器を使用して生体信号を送出する場合に比べて、簡易で自由度の高い生体信号の測定が可能となる。また、Ｓ／Ｎ（生体信号対雑音比）が改善し得る。
【００５７】
［第２実施形態］
次に、本発明の第２実施形態に係る電極シート１について、図５を参照して説明する。第２実施形態の説明にあたって、同一構成要件については同一符号を付し、その説明を省略もしくは簡略化する。
第２実施形態に係る電極シート１は、発光部２０Ａが、ＯＬＥＤに代えて、ｉＯＬＥＤ（逆有機ＥＬダイオード）である点で第１実施形態と異なる。
【００５８】
発光部２０Ａは、発光部２０と同様に、複数の層を備える。また、発光部２０Ａは、図５に示すように、発光部２０と同様に、陰極２０６と、電子注入性金属酸化物層２０５Ａ１と、電子注入性有機バッファ層２０５Ａ２と、発光層２０４と、正孔輸送層２０３と、正孔注入層２０２と、陽極２０１と、を備える。発光部２０Ａの各層は、発光部２０とは逆の順に積層される。発光部２０Ａは、発光部２０とは逆に、陽極２０１から陰極２０６に向かう方向に沿って外部に光を照射する。
【００５９】
次に、発光部２０Ａの作製方法が以下に説明される。なお、以下の作製方法において、バッファ層の平均厚さを触針式段差計（製品名「アルファステップＩＱ」、ＫＬＡテンコール社製）を用いて測定した。
［１］市販されている平均厚さ０．１ｍｍのＩＴＯ電極層付きＰＥＴ基板を用意した。この時、基板のＩＴＯ電極（陰極２０６）は幅１ｍｍにパターニングされているものを用いた。この基板をイソプロパノール中でそれぞれ１０分間超音波洗浄した。この基板をイソプロパノール中から取り出し、窒素ブローにより乾燥させ、ＵＶオゾン洗浄を２０分行った。
［２］この基板を、亜鉛金属ターゲットを持つミラトロンスパッタ装置の基板ホルダーに固定した。約１×１０−４Ｐａまで減圧した後、アルゴンと酸素を導入した状態でスパッタし、膜厚約２ｎｍの酸化亜鉛層を作成した。この時にメタルマスクを併用して、電極取り出しのためＩＴＯ電極の一部は酸化亜鉛が成膜されないようにした。
［３］酢酸マグネシウムの１％水−エタノール（体積比で１：３）混合溶液を作成した。工程［２］で作成した基板を、工程［１］と同様にして再度洗浄した。洗浄した酸化亜鉛薄膜付き基板をスピンコーターにセットした。この基板上に酢酸マグネシウム溶液を滴下し、毎分１３００回転で６０秒間回転させた。これを大気中、１００℃にセットしたホットプレートで２時間焼成することにより、酸化亜鉛／酸化マグネシウム層（電子注入性金属酸化物層２０５Ａ１）を形成した。
［４］市販の日本触媒社製ポリエチレンイミンＳＰ−２００のエタノール溶液を作製した。この時、ポリエチレンイミンの濃度は０．４％とした。上記工程［３］で作製した基板をスピンコーターにセットした。上記工程［３］で形成した層の上にポリエチレンイミンエタノール溶液を滴下し、毎分２，０００回転で３０秒間回転させ、電子注入性金属酸化物層２０５Ａ１の上に電子注入性有機バッファ層２０５Ａ２を形成した。電子注入性有機バッファ層２０５Ａ２の平均厚さは１０ｎｍであった。電子注入性有機バッファ層２０５Ａ２の平均厚さは、触針式段差計により測定した。
［５］工程［４］までで形成した基板を真空蒸着装置の基板ホルダーに固定した。４，４’−ビス［９−ジカルバゾリル］−２，２’−ビフェニル（ＣＢＰ）、イリジウムトリス（１−フェニルイソキノリン）（Ｉｒ（ｐｉｑ）３）、Ｎ，Ｎ’−ジ（１−ナフチル）−Ｎ，Ｎ’−ジフェニル−１，１’−ビフェニル−４，４’−ジアミン（α−ＮＰＤ）をそれぞれアルミナルツボに入れて蒸着源にセットした。真空蒸着装置内を約１×１０−５Ｐａまで減圧し、ＣＢＰをホスト、Ｉｒ（ｐｉｑ）３をドーパントとして３５ｎｍ共蒸着し、発光層２０４を成膜した。この時、ドープ濃度はＩｒ（ｐｉｑ）３が発光層２０４全体に対して６重量％となるようにした。次に、α−ＮＰＤを６０ｎｍ蒸着し、正孔輸送層２０３を成膜した。次に、一度窒素パージした後、三酸化モリブデン、金をアルミナルツボに入れて蒸着源にセットした。真空蒸着装置内を約１×１０−５Ｐａまで減圧し、三酸化モリブデン（正孔注入層２０２）を膜厚１０ｎｍになるように蒸着した。次に、金（陽極２０１）を膜厚５０ｎｍになるように蒸着し、有機電界発光素子１を作製した。金を蒸着する時、ステンレス製の蒸着マスクを用いて蒸着面が幅１ｍｍの帯状になるようにした。即ち、作製した有機電界発光素子の発光面積は、１ｍｍ２とした。
【００６０】
以上説明した第２実施形態の電極シート１によれば、上記（１）〜（８）の効果に加え、以下のような効果を奏する。
（９）発光部２０ＡはｉＯＬＥＤで構成される。これにより、発光部２０Ａは、ＯＬＥＤで構成されるよりも高い大気安定性をもつことができ、安定した測定が実現できる。
【００６１】
［第３実施形態］
次に、本発明の第３実施形態に係る電極シート１について、図６を参照して説明する。第３実施形態の説明にあたって、同一構成要件については同一符号を付し、その説明を省略もしくは簡略化する。
第３実施形態に係る電極シート１は、図６に示すように、生体に貼付される側の面に粘着層４０を備える点で第１実施形態及び第２実施形態と異なる。
【００６２】
粘着層４０は、生体に貼付される側の面に露出して配置される。即ち、粘着層４０は、生体信号を取得する生体に接触可能に構成される。粘着層４０は、生体に接触することで、複数の電極１６，１６，・・・及び複数の光学素子１８，１８，・・・を生体に固定する。粘着層４０は、第１粘着層４１と、第２粘着層４２と、を備える。
【００６３】
第１粘着層４１は、複数の電極１６，１６，・・・のそれぞれの露出面に重ねて配置される。第１粘着層４１は、生体と接触することで、生体信号を電極１６へ伝達する。第１粘着層４１は、例えば、アクリル系ゲル、ウレタン系ゲル、シリコーン系ゲル等のゲルを主剤とすることが好ましい。第１粘着層４１には、生体信号を取得するために、塩化ナトリウム、塩化カリウム等の電解質塩を含む。具体的には、積水化成品株式会社製「テクノゲル  ＨＩＴ」「テクノゲル  ＣＲ」「テクノゲル  Ｇ」等が挙げられる。第１粘着層４１を電極１６上に配置する方法としては、ゲルを塗工、印刷する方法や、シート状のゲルを電極の形状に切り抜いたものを貼付する方法等が挙げられる。
【００６４】
第２粘着層４２は、直線Ｙで区切られた他方の領域に配置される。具体的には、第２粘着層４２は、直線Ｙで区切られた他方の領域の接触層１０４の露出面に重ねて配置される。第２粘着層４２は、接触層１０４の露出面のみに配置され、光学素子１８に重ならないことが好ましい。これにより、第２粘着層４２が光学素子１８から照射される光を遮らないので光信号を精度よく取得することが可能になる。また、より好適には、第２粘着層４２は、接触層１０４の露出面の一部に配置される。これにより、第２粘着層４２を生体に貼付することによる蒸れを抑制することができ、光学素子及び生体の間に汗等の異物が入り込むことを抑制できる。第２粘着層４２には、例えばアクリル、ウレタン系、シリコーン系の生体貼付用両面テープ「Ｎｏ．９８７４」、「Ｎｏ．１５２２」、「Ｎｏ．１５１３」等を採用することができる。なお、第２粘着層４２に加え、フレキシブル基板１０の厚さ方向に貫かれた穴（図示せず）を設けることで、蒸れを抑制するようにしてもよい。また、第２粘着層４２は、直線Ｙに沿って、間隔をあけて複数配置されてもよい。これにより、第２粘着層４２が配置されていない部分を通気孔として、蒸れを抑制することができる。
【００６５】
以上説明した第３実施形態の電極シート１によれば、上記（１）〜（９）の効果に加え、以下のような効果を奏する。
（１０）電極シート１は、複数の電極１６，１６，・・・及び複数の光学素子１８，１８，・・・を生体に固定する粘着層４０を更に備える。これにより、生体に複数の電極１６，１６，・・・及び複数の光学素子１８，１８，・・・を固定することができ、生体信号を好適に取得できる。
【００６６】
（１１）粘着層４０は、第１粘着層４１と、第２粘着層４２と、を備える。第２粘着層４２は、光学素子１８に重ならないように配置される。これにより、第２粘着層４２が光学素子１８から照射される光を遮らないので、生体信号を好適に取得することができる。
【００６７】
（１２）第２粘着層４２は、接触層１０４の露出面の一部に配置される。第２粘着層４２を生体に貼付することによる蒸れを抑制することができ、光学素子１８及び生体の間に汗等の異物が入り込むことを抑制できる。従って、生体信号を好適に取得することができる。
【００６８】
［第４実施形態］
次に、本発明の第４実施形態に係る電極シート１について、図７〜図１４を参照して説明する。第４実施形態の説明にあたって、同一構成要件については同一符号を付し、その説明を省略もしくは簡略化する。なお、図１３及び図１４では、光信号取得部１５について、簡便のため、受光部２１が省略して示されている。
第４実施形態に係る電極シート１は、フレキシブル基板１０が基準層１０３によって形成され、接触層１０４を備えない点で第１実施形態〜第３実施形態と異なる。また、第４実施形態に係る電極シート１は、基準層１０３が第１基準層１３１と、第２基準層１３２と、を備える点で第１〜第３実施形態と異なる。また、第４実施形態に係る電極シート１は、被覆層２６Ｃを備える点で第１実施形態〜第３実施形態と異なる。また、第４実施形態に係る電極シート１は、光信号取得部１５に光学素子用配線１７１が形成される点や、接触層１０４に代えて被覆層２６Ｃを備える点等で第１実施形態〜第３実施形態と異なる。そして、第４実施形態に係る電極シート１は、光信号取得部１５が、基準層１０３の露出面上に配置される点等で第１〜第３実施形態と異なる。
【００６９】
第１基準層１３１は、例えば、ポリウレタンで形成される。第１基準層１３１は、直線Ｙで区切られた一方の領域に配置される。即ち、第１基準層１３１は、電気信号取得部１４が配置される領域に配置される。第１基準層１３１の一方の面上には、複数の電極１６，１６，・・・が配置される。複数の電極１６，１６，・・・の表面には、第１粘着層４１が配置される。また、第１基準層１３１の一方の面上には、光学素子用配線１７１の一部が配置される。
【００７０】
第２基準層１３２は、光透過性をもつ材料で形成される。第２基準層１３２は、第１基準層１３１と同様に、例えば、ポリウレタンで形成される。第２基準層１３２は、生体信号取得領域１０１の全体に渡り配置される。即ち、第２基準層１３２は、電気信号取得部１４及び光信号取得部１５が配置される領域に配置される。換言すると、第２基準層１３２は、第１基準層１３１と重なって配置される。また、第２基準層１３２の面のうち、第１基準層１３１に重なる一方の面上には、光学素子用配線１７１の他部が配置される。具体的には、第２基準層１３２の一方の面上には、光学素子用配線１７１の他部に接続された光信号取得部１５が配置される。また、第２基準層１３２には、厚さ方向に貫通する複数の挿通孔５０が形成される。そして、第２基準層１３２の他方の面上には、第２粘着層４２が配置される。第１基準層１３１及び第２基準層１３２は、一部が重ねて配置される。
挿通孔５０は、第２基準層１３２の面内方向において複数の電極１６，１６，・・・の配置位置に合わせて形成され、配置される。挿通孔５０のそれぞれは、一方の面側の開口に挿入された電極１６を他方の面側の開口から露出する。
【００７１】
光信号取得部１５は、フレキシブル基板１０の露出面上に配置される。光信号取得部１５は、保護層１９Ｃを備える。保護層１９Ｃは、硬質層２２Ｃと、軟質層２３Ｃと、を備える。
【００７２】
硬質層２２Ｃは、ドーム状に形成される。硬質層２２Ｃは、発光部２０及び受光部２１のそれぞれを被覆するように配置される。即ち、硬質層２２Ｃは、発光部２０及び受光部２１のそれぞれに重ねて配置される。
【００７３】
軟質層２３Ｃは、ドーム状に形成される。軟質層２３Ｃは、硬質層２２Ｃを被覆するように配置される。即ち、軟質層２３Ｃは、硬質層２２Ｃに重ねて配置される。
【００７４】
被覆層２６Ｃは、発光部２０及び受光部２１を一体化するように、発光部２０及び受光部２１のそれぞれを被覆する軟質層２３Ｃに跨って被覆するように配置される。被覆層２６Ｃは、軟質層２３Ｃよりも軟質であることが望ましい。被覆層２６Ｃは、例えば、ウレタンアクリレートを用いて形成される。被覆層２６Ｃは、例えば、シート状に形成される。
【００７５】
光信号取得部１５等は、以下のように作製される。
図７に示すように、例えばガラス製の支持板３１の一面上に犠牲層３２が形成される。更に、犠牲層３２の上には、ＰＥＮ（ポリエチレンナフタレート）又はＰＥＴ（ポリエチレンテレフタラート）の層３３が形成される。ＰＥＮ（又はＰＥＴ）の層３３の上には、発光部２０及び受光部２１が並べて形成される。なお、本実施形態において、発光部２０及び受光部２１は、１０μｍの厚さのＰＥＴで形成された密着層２０７により、外周面が被覆される。
【００７６】
次いで、図８に示すように、ＰＥＮ（又はＰＥＴ）層３３のうち、発光部２０及び受光部２１とは重ならない部分がレーザにより剥離される。この際、図には示していないが、ＰＥＮ（又はＰＥＴ）層３３上にある上部電極及び下部電極の取り出しを犠牲層３２上にくるように印刷により形成しておく。次いで、図９に示すように、発光部２０及び受光部２１を覆うように、ドーム状の硬質層２２Ｃが形成される。また、硬質層２２Ｃを覆うようにドーム状の軟質層２３Ｃが形成される。そして、軟質層２３Ｃを覆うように被覆層２６Ｃが形成される。その後、支持板３１が除去されることで、光信号取得部１５等が形成される。
【００７７】
次に、作製した光信号取得部１５等を用いた電極シート１の作製方法が以下に説明される。
図１０に示すように、第１基準層１３１の一方の面上に、光学素子用配線１７１の一部と、複数の電極１６とが印刷により形成される。また、第２基準層１３２の一方の面に、光学素子用配線１７１の他部が形成される。そして、第２基準層１３２の他方の面に、第２粘着層４２が形成される。
【００７８】
次いで、図１１に示すように、第１基準層１３１が、第２基準層１３２に重ね合わされる。具体的には、第１基準層１３１の一面が、第２基準層１３２の一面に対向した状態で重ね合わされる。また、第１基準層１３１の一面上に形成された電極１６が、第２基準層１３２に形成された挿通孔５０に位置合わせして挿入される。これにより、第１基準層１３１の一面上に形成された光学素子用配線１７１の一部が、第２基準層１３２の一面上に形成された光学素子用配線１７１の他部に重ね合わされる。即ち、光学素子用配線１７１は、第１基準層１３１と第２基準層１３２との間で厚さ方向に挟持される。そして、第１基準層１３１は、第２基準層１３２と熱圧着される。これにより、第１基準層１３１は、図１２に示すように、第２基準層１３２と一体化される。
【００７９】
次いで、光信号取得部１５の発光部２０及び受光部２１が、図１３に示すように、第２基準層１３２の一方の面上に形成される他方の光学素子用配線１７１の上に位置合わせされる。そして、光信号取得部１５及び被覆層２６Ｃは、一体化された第１基準層１３１及び第２基準層１３２に重ね合わされる。その上で、光信号取得部１５は、第１基準層１３１及び第２基準層１３２と熱圧着される。これにより、光信号取得部１５は、図１４に示すように、第１基準層１３１及び第２基準層１３２と一体化される。
【００８０】
以上説明した第４実施形態の電極シート１によれば、上記（１）〜（１２）の効果に加え、以下のような効果を奏する。
（１３）光信号取得部１５は、基準層１０３の露出する側の面上に配置される。これにより、光信号取得部１５が生体の汗等に影響を受けることがない。従って、電極シート１の安定性を高めることができる。
【００８１】
（１３）基準層１０３は、第１基準層１３１と、第２基準層１３２と、を備える。また、光学素子用配線１７１が、重ね合わされた第１基準層１３１及び第２基準層１３２の間に形成される。これにより、光学素子用配線１７１を容易に形成することができる。
【００８２】
［第５実施形態］
次に、本発明の第５実施形態に係る電極シート１について、図１５〜図１７を参照して説明する。第５実施形態の説明にあたって、同一構成要件については同一符号を付し、その説明を省略もしくは簡略化する。
第５実施形態に係る電極シート１は、光信号取得部１５の上に光学素子用配線１７１及び電極１６が形成される点で第４実施形態と異なる。
【００８３】
光学素子用配線１７１及び電極１６は、図１５及び図１６に示すように、被覆層２６Ｃの一方の面上に印刷により形成される。具体的には、光学素子用配線１７１は、発光部２０及び受光部２１に接続されるように、被覆層２６Ｃの一方の面上に印刷により形成される。次いで、第１粘着層４１は、図１７に示すように、電極１６の露出面上に印刷により形成される。また、第２基準層１３２は、被覆層２６Ｃの一方の面上及び光学素子用配線１７１の面上に亘り、重ねて配置される。即ち、第２基準層１３２は、電極１６の位置を除いて、被覆層２６Ｃ及び光学素子用配線１７１に重ねて配置される。そして、第２基準層１３２の一方の面上には、第２粘着層４２が配置される。
【００８４】
以上説明した第５実施形態の電極シート１によれば、上記（１４）の効果に加え、以下のような効果を奏する。
（１５）光学素子用配線１７１及び電極１６は、光信号取得部１５の被覆層２６Ｃ上に形成される。これにより、光学素子用配線１７１及び電極１６を容易に形成することができる。
【００８５】
以上、本発明の電極シートの好ましい各実施形態につき説明したが、本発明は、上述の実施形態に制限されるものではなく、適宜変更が可能である。
例えば、上記実施形態では、標示部１２を鼻の筋に沿って形成される直線状の線としたが、これに限定されない。例えば、フレキシブル基板１０の一面を２分割する直線Ｙを標示部１２として含んでもよい。なお、フレキシブル基板１０を透過性の高い材質とすることで電極１６や光学素子１８を標示部１２とすることも考えられるが、フレキシブル基板１０が伸縮性及び柔軟性をもつことから別途標示部１２を設けることが好ましい。
【００８６】
また、上記実施形態において、複数の電極１６，１６，・・・及び複数の光学素子１８，１８，・・・は、所定の方向に揃えて並べられるとした。これに加え、複数の電極１６，１６，・・・のそれぞれと、複数の電極１６，１６，・・・のそれぞれとが、並べられる所定の方向に交差する方向に重なる位置に並べられてもよい。換言すると、複数の電極１６，１６，・・・のそれぞれと、複数の光学素子１８，１８，・・・のそれぞれとが、一対となるような配置に設けられていてもよい。これにより、電気的な生体信号と、光学的な生体信号をより近い位置で取得することができる可能性が高くなるので、生体信号の解析精度を高めることができる。なお、本実施形態では、７つの電極１６に対して、対応する７つの光学素子１８を設けることが考えられるが、これに限定されない。例えば、２つの電極１６に対して対応する１つの光学素子１８を設けることや、３つの電極１６に対して１つの光学素子１８を設けること、逆に、１つの電極１６に対して２つ又は３つの光学素子１８を設けることが考えられる。したがって、電極１６の数と光学素子１８の数との比については適宜選択されてよい。
【００８７】
また、電気信号取得部１４は、フレキシブル基板１０上に１つだけ配置され、光信号取得部１５は、フレキシブル基板１０上に複数配置されてもよい。この場合、一対の発光部２０及び受光部２１が、フレキシブル基板１０上に複数は位置されることになるため、少なくとも、光学的に取得された生体信号の解析精度が高まる。また、光信号取得部１５は、フレキシブル基板上に、３つ以上配置することが好ましく、５つ以上配置することがより好ましく、８つ以上配置することが特に好ましい。
【００８８】
また、電気信号取得部１４は、フレキシブル基板１０の一面を直線Ｙで２分割した一方の領域に配置されるとした。また、光信号取得部１５は、他方の領域に配置されるとした。しかし、これに限定されない。光信号取得部１５は、一方の領域及び他方の領域のいずれにも配置されることも可能である。
【００８９】
また、上記実施形態において、軟質層２３は１つのヤング率をもつとして説明されたが、これに限定されない。例えば、軟質層２３は、ヤング率の異なる複数の層を重ねて形成されてもよい。このような軟質層２３は、貫通孔１０５の内壁から硬質層２２に近づくにつれて、ヤング率が高くなるよう（硬質グラデーション構造）に形成されているのが好ましい。
【００９０】
また、上記実施形態に係る電極シート１は、複数の光学素子１８，１８，・・・を設けられてもよい。そして、解析装置２は、複数の光学素子１８，１８，・・・から最も強い生体信号を出力する光学素子１８がスキャンすることにより、生体信号の取得に最適な光学素子１８を選択してもよい。
【００９１】
また、上記実施形態に係る電極シート１の光信号取得部１５は、１つの発光部２０に対して１つの受光部２１を備える。しかしながら、本発明は、上記実施形態に限定されない。具体的には、光信号取得部１５は、図１８に示すように、１つの発光部２０に対して複数の受光部２１を備えてもよい。例えば、光信号取得部１５は、１つの発光部２０に対して矩形に配置された４つの受光部２１を備えてもよい。これにより、受光できる領域が広がるので、生体信号をより容易に取得することができる。
【００９２】
また、上記実施形態に係る電極シート１によって取得された生体信号は、解析装置２において、図１９に示すような流れで解析される。
まず、電極シート１で取得された生体信号は、解析装置２に送信される。解析装置２には、生体信号が入力され、生体信号が表示される（ステップＳ１）。次いで、解析装置２は、パラメータチェックを実行する（ステップＳ２）。解析装置２は、パラメータチェックとして、例えば、入力時間範囲、振幅オプション選択、フィルタバンド幅選択等のパラメータチェックを実行する。
【００９３】
次いで、解析装置２は、生体信号からノイズを除去する（ステップＳ３）。解析装置２は、例えば、ソフトウェアベースの０．３〜５Ｈｚバンドパスフィルタを用いて、光電脈波（ＰＰＧ）信号をフィルタすることでノイズを除去する。次いで、解析装置２は、振幅のハイピーク及びローピークを検出する（ステップＳ４）。解析装置２は、検出したローピーク及びハイピークを表示する。
【００９４】
次いで、解析装置２は、平均振幅と心拍レートとを表示する（ステップＳ５）。次いで、解析装置２は、表示された生体信号の情報を記録する（ステップＳ６）。
【符号の説明】
【００９５】
１  電極シート
２  解析装置
１０  フレキシブル基板
１１  生体信号取得部
１２  標示部
１３  グランド電極
１４  電気信号取得部
１５  光信号取得部
１６  電極
１７，２４  配線
１８  光学素子
１９  保護層
２０  発光部
２１  受光部
２２  硬質層
２３  軟質層
５０  挿通孔
１０３  基準層
１３１  第１基準層
１３２  第２基準層
１７１  光学素子用配線
Ｙ  直線
【図１】
0006752476.tif 000002
【図２】
0006752476.tif 000003
【図３】
0006752476.tif 000004
【図４】
0006752476.tif 000005
【図５】
0006752476.tif 000006
【図６】
0006752476.tif 000007
【図７】
0006752476.tif 000008
【図８】
0006752476.tif 000009
【図９】
0006752476.tif 000010
【図１０】
0006752476.tif 000011
【図１１】
0006752476.tif 000012
【図１２】
0006752476.tif 000013
【図１３】
0006752476.tif 000014
【図１４】
0006752476.tif 000015
【図１５】
0006752476.tif 000016
【図１６】
0006752476.tif 000017
【図１７】
0006752476.tif 000018
【図１８】
0006752476.tif 000019
【図１９】
0006752476.tif 000020